(57)【要約】【課題】簡単な構造で底部の組み立てがワンタッチで確実に行われ、底部の形状を維持し、確実に緩衝用の仕切り片が組み立てられて、収容物を保護し収容する緩衝機能付包装用箱を提供する。【解決手段】側面１６に連続し底部分の一部を形成する第一底蓋片４４と、第一底蓋片４４が延出した側面１６に対向する側面２０から延出した第二底蓋片８８を有する。一対の側面１４，１８は、一対の底フラップ３６，７２を有する。第一底蓋片４４の端部には、収容物を保持する緩衝用の仕切り片であり組立状態で第一底蓋片４４から立ち上がる立上片５０と、第一底蓋片４４と面一に外側へ突出し第二底蓋片８８の裏面に重ねられる第一底部ロック片４８，９２を備える。第二底蓋片８８の端部には、組立状態で第二底蓋片８８から立ち上り第一底蓋片４４の立上片５０に重ねられる係止板９４と、第二底蓋片４４と面一に外側へ突出し第一底蓋片４４の裏面に重ねられる第二底部ロック片９２を備える。【選択図】図１
2010208646.tif 000002
【特許請求の範囲】
【請求項１】
一枚のブランクシートから一体的に打ち抜かれた箱体形成片から成り、互いに連接された側面と、組立状態で連接された側面で形成される一開口端部を閉鎖する底部分が設けられ、前記底部分は、前記一側面に連続し前記底部分の一部を形成する第一底蓋片と、前記第一底蓋片が延出した側面に対向する側面から延出した第二底蓋片と、前記第一底蓋片と前記第二底蓋片の間に位置する一対の側面から延出した一対の底フラップと、前記一対の底フラップに形成され隣接する前記上記第一底蓋片または前記第二底蓋片に糊付けされる糊付片が設けられ、前記第一底蓋片の端部には、収容物を保持する緩衝用の仕切り片であり組立状態で前記第一底蓋片から立ち上がる立上片と、前記第一底蓋片と面一に外側へ突出し前記第二底蓋片の裏面に重ねられる第一底部ロック片が設けられ、前記第二底蓋片の端部には、組立状態で前記第二底蓋片から立ち上り前記第一底蓋片の前記立上片に重ねられる係止板と、前記第二底蓋片と面一に外側へ突出し前記第一底蓋片の裏面に重ねられる第二底部ロック片が設けられ、組立状態で前記第一底部ロック片は前記第二底蓋片の前記係止板に交差して係止され、前記第二底部ロック片は前記第一底蓋片の前記立上片に交差して係止され、底部分の形状を保持することを特徴とする緩衝機能付包装用箱。
【請求項２】
前記仕切り片は、組立状態で底部分から立ち上がる前記立上片と、前記立上片に連続する上面片と、前記上面片に連続する側面に糊付けされる仕切り用糊付片が、互いに折罫線で区切られて設けられ、前記立上片と前記上面片の間の折罫線上には、収容物が嵌合される打ち抜き部が形成されていることを特徴とする請求項１記載の緩衝機能付包装用箱。
【請求項３】
前記立上片には、前記打ち抜き部の前記第一底蓋片に近い側縁部から、前記打ち抜き部の中心に向かって延出する底上げ片が折罫線で区切られて設けられていることを特徴とする請求項１記載の緩衝機能付包装用箱。
【請求項４】
前記第二底蓋片の前記係止板の端部には、外側に向かって延出する底上げ片が折罫線で区切られて設けられ、組立状態で、前記底上げ片は前記打ち抜き部に対向し、前記打ち抜き部の前記第一底蓋片に近い位置から前記打ち抜き部の中心に向かって延出するように位置することを特徴とする請求項１記載の緩衝機能付包装用箱。
【発明の詳細な説明】
【技術分野】
【０００１】
この発明は、箱体と一体に緩衝用仕切りが設けられ、収容物を緩衝的に保護する緩衝機能付包装箱に関する。
【背景技術】
【０００２】
従来、ブランクシートから一体的に打ち抜かれた箱体形成片を折り曲げて糊付けし、ワンタッチで引き起こして組立可能に形成される包装用箱がある。このような包装用箱には、ガラス瓶等の衝撃に弱い収容物を保持するための緩衝用の仕切り片が箱体形成片に一体に設けられているものがある。
【０００３】
例えば、特許文献１に開示されている包装用箱は、互いに連接された側面と、組立状態で連接された側面で形成される一開口端部を閉鎖する底部分が設けられ、前記底部分は、前記一側面に連続し前記底部分の一部を覆う第一底蓋片と、この第一底蓋片の両側の側面から延出した一対の底フラップと、この第一底蓋片に対向する側面から延出した第二底蓋片が設けられている。第一底蓋片と第二底蓋片には、隣接する一方の底フラップに糊付けされる糊付片と、隣接する他方の底フラップに向かって突出する底部ロック片が各々設けられ、一対の底フラップにはこの底部ロック片が差し込まれるスリットが設けられている。箱体形成片を組み立てたとき、この底部ロック片がスリットに差し込まれて底部分がロックされる。箱体形成片には、収容物を保持する緩衝用の仕切り片が設けられ、仕切り片は組立状態で底部分から立ち上がる立上片と、立上片に連続する上面片と、上面片に連続する側面に糊付けされる仕切り用糊付片が、互いに折罫線で区切られて設けられている。立上片と上面片の間の折罫線上には、収容物が嵌合される打ち抜き部が形成されている。
【先行技術文献】
【特許文献】
【０００４】
【特許文献１】特開２００８−５６２６２号公報
【発明の概要】
【発明が解決しようとする課題】
【０００５】
上記背景技術の場合、底フラップには底部ロック片が差し込まれるスリットを所定位置に所定形状で設ける必要があり、またほこり等が侵入するおそれがあった。また、収容物は仕切り片の打ち抜き部に嵌合されて保持されるが、打ち抜き部は正確に収容物の形状に沿う形状とする必要がある。
【０００６】
この発明は、上記背景技術の問題点に鑑みてなされたものであり、簡単な構造で底部の組み立てがワンタッチで確実に行われ、底部の形状を維持し、確実に緩衝用の仕切り片が組み立てられて、収容物を保護し収容する緩衝機能付包装用箱を提供することを目的とする。
【課題を解決するための手段】
【０００７】
本発明は、一枚のブランクシートから一体的に打ち抜かれた箱体形成片から成り、互いに連接された側面と、組立状態で連接された側面で形成される一開口端部を閉鎖する底部分が設けられ、前記底部分は、前記一側面に連続し前記底部分の一部を形成する第一底蓋片と、前記第一底蓋片が延出した側面に対向する側面から延出した第二底蓋片と、前記第一底蓋片と前記第二底蓋片の間に位置する一対の側面から延出した一対の底フラップと、前記一対の底フラップに形成され隣接する前記上記第一底蓋片または前記第二底蓋片に糊付けされる糊付片が設けられている。前記第一底蓋片の端部には、収容物を保持する緩衝用の仕切り片であり組立状態で前記第一底蓋片から立ち上がる立上片と、前記第一底蓋片と面一に外側へ突出し前記第二底蓋片の裏面に重ねられる第一底部ロック片が設けられている。前記第二底蓋片の端部には、組立状態で前記第二底蓋片から立ち上り前記第一底蓋片の前記立上片に重ねられる係止板と、前記第二底蓋片と面一に外側へ突出し前記第一底蓋片の裏面に重ねられる第二底部ロック片が設けられている。組立状態で、前記第一底部ロック片は前記第二底蓋片の前記係止板に交差して係止され、前記第二底部ロック片は前記第一底蓋片の前記立上片に交差して係止され、底部分の形状を折り畳み状態に戻ることを防ぎ、保持するものである。
【０００８】
また、前記仕切り片は、組立状態で底部分から立ち上がる前記立上片と、前記立上片に連続する上面片と、前記上面片に連続する側面に糊付けされる仕切り用糊付片が、互いに折罫線で区切られて設けられ、前記立上片と前記上面片の間の折罫線上には、収容物が嵌合される打ち抜き部が形成されている。
【０００９】
また、前記立上片には、前記打ち抜き部の前記第一底蓋片に近い側縁部から、前記打ち抜き部の中心に向かって延出する底上げ片が折罫線で区切られて設けられている。
【００１０】
また、前記第二底蓋片の前記係止板の端部には、外側に向かって延出する底上げ片が折罫線で区切られて設けられ、組立状態で、前記底上げ片は前記打ち抜き部に対向し、前記打ち抜き部の前記第一底蓋片に近い位置から前記打ち抜き部の中心に向かって延出するように位置する。
【発明の効果】
【００１１】
本発明の緩衝機能付包装用箱は、簡単な構造により糊付け後の状態で容易にワンタッチ組み立てが可能であり、底部分は、第一底蓋片の第一底部ロック片が第二底蓋片の係止板に交差して係止され、第二底蓋片の第二底部ロック片が第一底蓋片の立上片に交差して係止され、ロックされて折り畳み状態に戻ることを防ぎ、確実に底部分の形状を維持することができる。さらに、機械による自動組立や手作業の組立のいずれによっても安定して組み立てることができる。また、箱体内に緩衝用の仕切り片が確実に組み立てられ、収容物を保護して安全に収容することができる。
【図面の簡単な説明】
【００１２】
【図１】この発明の一実施形態の緩衝機能付包装用箱の部分破断斜視図である。
【図２】この実施形態の緩衝機能付包装用箱の使用状態を示す縦断面図である。
【図３】この実施形態の緩衝機能付包装用箱の展開図である。
【図４】この実施形態の緩衝機能付包装用箱の組立工程を示す展開図である。
【図５】この実施形態の緩衝機能付包装用箱の変形例を示す展開図である。
【図６】この実施形態の緩衝機能付包装用箱の変形例を示す展開図である。
【発明を実施するための形態】
【００１３】
以下、この発明の実施形態について図面に基づいて説明する。図１〜図４はこの発明の一実施形態を示すもので、この実施形態の緩衝機能付包装用箱１０は、厚紙等の一枚のブランクシートを打ち抜いて形成された箱体形成片１２を組み立てて形成されている。
【００１４】
図３は、箱体形成片１２を表面から見た展開図であり、箱体形成片１２は、側面１４，１６，１８，２０が互いに平行に連接して形成されている。側面１４，１６，１８，２０は、連接している幅方向は同じ長さであり、連接方向の長さは側面１４，１８が短くて互いにほぼ等しく、側面１６，２０はやや長くて互いにほぼ等しい。さらに側面１４の側縁部には、緩衝機能付包装用箱１０の組立状態で側面２０の裏面に糊付けされる糊付片２２が設けられている。糊付片２２、側面１４，１６，１８，２０は、各々折罫線２４，２６，２８，３０で区切られている。
【００１５】
側面１４において、側面同士の連接方向に対して直角な方向の一端部には、台形状の上フラップ３２が折罫線３４で区切られて設けられている。側面１４の、折罫線３４と反対側の端部には、三角形状の底フラップ３６が折罫線３８で区切られて設けられている。底フラップ３６の、側面１６に隣接する傾斜した側縁部には、四角形状の底部糊付片４０が折罫線４２で区切られて設けられている。
【００１６】
側面１６の、側面１４の折罫線３４に隣接する端部１６ａには、端部１６ａの中心をコの字形に囲む破断線４３が設けられている。側面１６の、端部１６ａと反対側の端部には、第一底蓋片４４が折罫線４６で区切られて設けられている。第一底蓋片４４は、折罫線４６を下底とする台形状に形成され、折罫線４６から折罫線４６に対して平行な上底である端部４４ａまでの長さは、緩衝機能付包装用箱１０の組立状態で底部分の中心線付近に位置する長さ、即ち側面１４，１８の約半分の幅に設けられている。端部４４ａには、側面１８に近い位置に、端部４４ａから外側に突出する小形の四角形状の第一底部ロック片４８が一体に設けられている。
【００１７】
第一底蓋片４４の端部４４ａの中心には、緩衝用の仕切り片が設けられている。仕切り片は、立上片５０、上面片５２、仕切り用糊付片５４が互いに平行に連接して形成されている。連接方向は、側面１４，１６，１８，２０に対してほぼ直角であり、連接している幅方向は、折罫線４６よりも短く、連接方向の長さは上面片５２が第一底蓋片４４とほぼ等しく、立上片５０と仕切り用糊付片５４は、第一底蓋片４４よりも少し長く形成されている。第一底蓋片４４、立上片５０、上面片５２、仕切り用糊付片５４は、各々折罫線５６，５８，６０で区切られている。折罫線５６，６０には、折り曲げ易くするために切込線が設けられている。
【００１８】
折罫線５８のほぼ中心には、打ち抜き部６２が形成されている。打ち抜き部６２の形状は、立上片５０側は矩形に切り取り、上面片５２側は円形に切り取ったもので、円形部分折罫線５８より僅かに立上片５０側に入って区切られ、円形部分は１８０度を超える円弧状に形成され、矩形部分の幅よりも円の直径が大きく形成されている。
【００１９】
立上片５０には、打ち抜き部６２の折罫線５６に対して平行な側縁部に、打ち抜き部６２の中心に向かって延出する矩形の底上げ片６４が折罫線６６で区切られて設けられている。折罫線６６には、曲げ易くするために切込線が設けられている。
【００２０】
側面１８の、側面１６の端部１６ａに連接する端部には、台形状の上フラップ６８が折罫線７０で区切られて設けられている。側面１８の、折罫線７０と反対側の端部には、三角形状の底フラップ７２が折罫線７４で区切られて設けられている。底フラップ７２の、側面２０に隣接する傾斜した側縁部には、四角形状の底部糊付片７６が折罫線７８で区切られて設けられている。
【００２１】
側面２０の、側面１８の折罫線７０に連接する端部には、上蓋片８０が折罫線８２で区切られて設けられている。上蓋片８０の折罫線８２の反対側の端部には、さらに差込片８４が折罫線８６で区切られて設けられている。側面２０の、折罫線８２と反対側の端部には、第二底蓋片８８が折罫線９０で区切られて設けられている。第二底蓋片８８は、折罫線９０を下底とする台形状に形成され、折罫線９０から折罫線９０に対して平行な上底である端部８８ａまでの長さは、緩衝機能付包装用箱１０の組立状態で底部分の中心線付近に位置する長さ、つまり側面１４，１８の約半分の幅に設けられている。端部８８ａには、側面１８から離れた位置に、端部８８ａから外側に突出する小形の四角形状の第二底部ロック片９２が一体に設けられている。第二底蓋片８８の端部８８ａの中心には、係止板９４が折罫線９６で区切られて設けられている。折罫線９６には折り曲げ易いように切込線が設けられている。
【００２２】
次に、この実施形態の緩衝機能付包装用箱１０の組立方法の一例について説明する。なお、ここでは図３が緩衝機能付包装用箱１０の箱体形成片１２の表面を見たものであり、箱体形成片１２の表面が凸になる折り方を正折り、そして裏面が凸になる折り方を逆折りと称する。
【００２３】
まず、図４に示すように折罫線５８を正折りし、仕切り用糊付片５４表面に糊９８を塗布する。次に、折罫線４６，９０を正折りして、仕切り用糊付片５４の表面が側面１６の裏面に糊付けされる。次に折罫線３８，７４を正折りし、折罫線４２，７８を逆折りし、底部糊付片４０の裏面に糊１００を、底部糊付片７６の裏面に糊１０２を塗布する。そして折罫線２６を正折りし、糊付片２２の表面に糊１０４を塗布し、次に折罫線３０を正折りし、側面２０の裏面が糊付片２２の表面に糊付けされる。このとき底部糊付片４０は、糊１００により、第一底蓋片４４の表面で第一第一底部ロック片４８と反対側に糊付けされる。底部糊付片７６は糊１０２により、第二底蓋片８８の表面で第二底部ロック片９２と反対側に糊付けされる。これにより箱体形成片１２は折り畳み状態となり、この状態で出荷される。
【００２４】
次に、収容物を収容し包装する工場等において、折罫線２４，２６，２８，３０を各々９０度に正折りして四角形の箱体にする。このとき、底フラップ３６の底部糊付片４０は第一底蓋片４４に、底フラップ７２の底部糊付片７６は第二底蓋片８８に糊付けされているため、二つ折りされていた折罫線３８，４６，７４，９０は自動的に引き起こされてほぼ９０度に開き、底部が形成される。このとき第一底蓋片４４の立上片５０と第二底蓋片８８の係止板９４は、底部からほぼ直角に立ち上り、互いに重ねられて立設する。そして、図１に示すように、第一底蓋片４４の第一底部ロック片４８は第二底蓋片８８の端部８８ａの裏面に重ねられ、立設する係止板９４とほぼ直角に交差して互いに係止される。第二底蓋片８８の第二底部ロック片９２は第一底蓋片４４の端部４４ａの裏面に重ねられ、立設する立上片５０とほぼ直角に交差して互いに係止される。これにより、底部分は折り畳み状態に戻ることを防ぎ、確実にロックされ箱体の底部の形状を保つ。
【００２５】
また、第一底蓋片４４が側面１６に対してほぼ９０度に引き起こされることにより、立上片５０、上面片５２、仕切り用糊付片５４が互いに９０度に位置し、緩衝用の仕切り片である立上片５０と上面片５２をＬ字形に形成する。打ち抜き部６２が箱体の中心に開口する。
【００２６】
この状態で、図２に示すように、収容物１０６を箱体の中に入れる。収容物１０２は、箱体の内側にＬ字形に形成された立上片５０と上面片５２の、打ち抜き部６２に嵌合させてセットする。このとき、立上片５０の底上げ片６４は、収容物１０６の底部１０６ａ側に逆折りしておく。これにより、収容物１０６は打ち抜き部６２に嵌合して保持され、その底部１０６ａが底上げ片６４で支持される。これにより、上面片５２の打ち抜き部６２周縁部により収容物１０６の周囲が保持され、底部が底上げ片６４で支持され、全体として緩衝効果を有して保持される。また、係止板９４と側面２０との間には、空間９５が形成され、収容物１０６の取り扱い説明書等を収納することができる。
【００２７】
次に、折罫線３４，７０で上フラップ３２，６８を正折りし、その後折罫線８２で上蓋片８０を正折りし、さらに折罫線８６を正折りして差込片８４を側面１６の内側に差し込み、閉鎖する。差込片８４と、側面１６の破断線４３で囲まれた部分を糊付けしても良い。
【００２８】
この実施形態の緩衝機能付包装用箱１０によれば、簡単な構造によりワンタッチで箱体を形成することができ、底フラップ３６、第一底蓋片４４、底フラップ７２、第二底蓋片８８を互いに確実にロックすることができる。第一底蓋片４４の第一底部ロック片４８は第二底蓋片８８の係止板９４とほぼ直角に交差して係止され、第二底蓋片８８の第二底部ロック片９２は第一底蓋片４４の立上片５０とほぼ直角に交差して互いに係止されることにより、組み立てた箱体が平坦に折り畳まれた状態に後戻りせず、組立作業の効率が良好となる。機械による自動組立や手作業の組立のいずれによっても安定して組み立てることができる。
【００２９】
また、収容物１０６を打ち抜き部６２に入れることにより所定の位置に収容物１０６が緩衝効果を有して保持され、作業効率も良い。さらに、収容物１０６は、打ち抜き部６２の周縁部に保持され、底上げ片６４で底部が支持されているため、運搬中に収容物１０６ががたつくことが無く緩衝効果が高い。また、空間９５に取扱説明書等を収納することにより、収容物１０６がより緩衝効果を有して保持され、安全性も高い。収容物１０６は側面１４，１６，１８，２０等、箱体の外側面に接触することが無く、外側面から衝撃が加えられても影響が小さく、破損を防ぐことができる。また、立上片５０と係止板９４が重ねられているため箱体の強度が高い。そして、収容物１０６に下方に向かって力が加えられたときに係止板９４で補強されているため立上片５０が撓むことがなく安全であり、収容物１０６を下方から立上片５０と係止板９４で支え、緩衝効果が高くなる。
【００３０】
なお、この実施形態の緩衝機能付包装用箱１０は、底上げ片６４が立上片５０ではなく第二底蓋片８８の係止板９４に設けられてもよい。例えば図５に示すものは、係止板９４の、折罫線９６と反対側の端部に、矩形の底上げ片１０８が折罫線１１０で区切られて設けられている。緩衝機能付包装用箱１０を組み立てた状態では、底上げ片１０８は、立上片５０の打ち抜き部６２に対向し、打ち抜き部６２の第一底蓋片４４に近い位置から打ち抜き部６２の中心に向かって延出するように位置する。そして、緩衝機能付包装用箱１０に収容物１０６を入れた状態で、収容物１０６の底部１０６ａの下に位置して収容物１０６を支持し、高い緩衝効果を得ることができる。
【００３１】
また、緩衝機能付包装用箱１０は、底上げ片６４がなくても良い。例えば図６に示す緩衝機能付包装用箱１０は、立上片５０にも係止板９４にも底上げ片が設けられていない。しかし、上面片５２の打ち抜き部６２の形状は、図示しない収容物の断面形状が嵌合されている形状になり、底上げ片が無くても収容物１０６が打ち抜き部６２から落下することが無く、確実に保持される。
【００３２】
なお、この発明の緩衝機能付包装用箱は、上記実施形態に限定されるものではなく、緩衝用の仕切り片は、第一底蓋片以外の部材に連続して設けられてもよく、仕切り片や打ち抜き部の形状も収容物の形状や数に合わせて適宜変更可能である。箱体形成片の素材も、紙や合成樹脂等、適宜変更可能である。第一底部ロック片と第二底部ロック片の形状も自由であり、確実に仕切り片や係止板に交差して係止されるものであれば良い。
【符号の説明】
【００３３】
１０  緩衝機能付包装用箱
１２  箱体形成片
１４，１６，１８，２０  側面
２２  糊付片
３６，７２  底フラップ
４０，７６  底部糊付片
４４  第一底蓋片
４８  第一底部ロック片
５０  立上片
５２  上面片
５４  仕切り用糊付片
６２  打ち抜き部
６４  底上げ片
８８  第二底蓋片
９２  第二底部ロック片
９４  係止板
【図１】
2010208646.tif 000003
【図２】
2010208646.tif 000004
【図３】
2010208646.tif 000005
【図４】
2010208646.tif 000006
【図５】
2010208646.tif 000007
【図６】
2010208646.tif 000008